(57)【要約】【課題】  揮散口の開閉操作を容易化する一方、蓋の取り外し操作を困難化して不要な蓋の外れを避ける。【解決手段】  延出片２２を両側から挟むように掴み、揮散口開制限位置まで移動し、係脱片２６を両側から挟むように押圧すると、延出片２２の係脱凸２８が係脱片２６の係脱凹３０から離脱する。延出片２２を揮散口開制限位置から更に揮散口拡大方向へ移動すれば、蓋を容器本体から取り外すことができる。これにより、製造時に用意されたフィルム２０を撤去できる。係脱片２６と延出片２２との係合の再開後は、その係合が通常の状態とされ、蓋１６と容器本体１２との間に形成される揮散口８０の開閉ができ、揮散口閉位置と揮散口開制限位置との間で延出片２２の移動位置が制限される。【選択図】  図２
2005153946.tif 000002
【特許請求の範囲】
【請求項１】
一方が開放され、内部に薬剤を収容できる容器本体と、
前記容器本体の開放端に対向し、開放端に当接して閉じ、開放端と離間して開き、離間距離に応じて薬剤の揮散口を形成する蓋と、
前記蓋に設けられ、前記開放端との対向方向へ前記容器本体の側壁外面に沿って延出された延出片と、
前記容器本体に設けられ、前記延出片と前記容器本体の側壁との間に介在し、通常は延出片と係合し、前記延出片を前記蓋と一体に延出方向に沿って揮散口閉位置と揮散口開制限位置との間に相対移動位置制限し、前記容器本体の側壁へ向けて押圧されると弾性変形により延出片から離脱し、前記延出片の揮散口開制限位置からさらに揮散口拡大方向への移動を許容して前記蓋の取り外しを可能とする係脱片と、
を備えることを特徴とする薬剤揮散用容器。
【請求項２】
前記係脱片は、容器本体底側が基端とされ、容器本体開放側が自由端とされ、係脱片の弾性変形が、基端を中心とする撓み変形であるととともに、前記延出片は、係脱凸を備え、前記係脱片は、係脱凹を備え、前記係合、離脱が、係脱凸と係脱凹との係合、離脱である請求項１に記載の薬剤揮散用容器。
【請求項３】
前記容器本体は、底壁内面の周囲に溝を備えた請求項１又は２に記載の薬剤揮散用容器。
【請求項４】
前記延出片、前記係脱片は共に、対向する一対で構成される請求項１乃至３のいずれかに記載の薬剤揮散用容器。
【請求項５】
前記係脱片の自由端と前記容器本体の側壁との間には、係脱片の撓み変形に抵抗する抵抗片を備える請求項１乃至４のいずれかに記載の薬剤揮散用容器。
【請求項６】
前記容器本体は、係脱片と一体に成形され、前記蓋は、延出片と一体に成形され、いずれも合成樹脂製である請求項１乃至５のいずれかに記載の薬剤揮散用容器。
【請求項７】
前記容器本体は、係脱片、抵抗片と一体に成形され、前記蓋は、延出片と一体に成形され、いずれも合成樹脂製である請求項５に記載の薬剤揮散用容器。
【発明の詳細な説明】
【技術分野】
【０００１】
本発明は、例えば、ゲル状の芳香剤等を揮散するための薬剤揮散用容器に関する。
【背景技術】
【０００２】
この種の容器として、特許文献１に開示のもの、特許文献２に開示のものが公知である。特許文献１によれば、蓋体を引き上げることにより、蓋体から下方に張設された弾力性係止部材の弾力により、係止部材の先端の係架部が、容器本体の内側周壁にある係止段部に陥入し、一番上にある段部に陥入すればそれ以上の上昇が阻止され、蓋体を容器本体から取り外すことなく、蓋体と容器本体間に空隙を形成して、発香薬剤を発散させる構成が示されている。
【０００３】
特許文献２によれば、容器本体に蓋体が上下可能に螺着され、蓋体の外周壁には香気の流通口が開口され、蓋体の受リブに対して、芳香剤の拡散量を調整するためのクリック感を与えるように容器本体に複数のリブがあり、また、別途のリブがあって、そのリブは受けリブが通常は乗り越えられず、強く蓋体を回転すれば乗り越えられて蓋体が容器本体から取り外しできる構成が開示されている。
【特許文献１】実公昭５８−２３４８号公報
【特許文献２】特開平８−１１２３３９号公報
【発明の開示】
【発明が解決しようとする課題】
【０００４】
ここで、蓋体を取り外す必要があるとすれば、発散、拡散を開始しようとする場合に、製造時に施された発散、拡散防止用のフィルムを剥がすときが考えられる。それ以降は、発散、拡散の実行、停止ができれば足り、蓋の取り外しは不要であるばかりでなく、不用意な蓋の外れは、過度の発散、拡散ともなる。一方、発散、拡散の実行、停止、また、発散、拡散量の調整は、少なからず機会がある。発散、拡散の実行、停止は操作が容易である一方、蓋は容易には外れないのがよい。この点、従来のものは配慮に乏しい。
【０００５】
本発明は、上記事実を考慮し、揮散口の開閉操作を容易化する一方、蓋の取り外し操作を困難化して不要な蓋の外れを避ける薬剤揮散用容器を提供することを目的とする。
【課題を解決するための手段】
【０００６】
本発明の請求項１に係る薬剤揮散用容器は、一方が開放され、内部に薬剤を収容できる容器本体と、前記容器本体の開放端に対向し、開放端に当接して閉じ、開放端と離間して開き、離間距離に応じて薬剤の揮散口を形成する蓋と、前記蓋に設けられ、前記開放端との対向方向へ前記容器本体の側壁外面に沿って延出された延出片と、前記容器本体に設けられ、前記延出片と前記容器本体の側壁との間に介在し、通常は延出片と係合し、前記延出片を前記蓋と一体に延出方向に沿って揮散口閉位置と揮散口開制限位置との間に相対移動位置制限し、前記容器本体の側壁へ向けて押圧されると弾性変形により延出片から離脱し、前記延出片の揮散口開制限位置からさらに揮散口拡大方向への移動を許容して前記蓋の取り外しを可能とする係脱片と、を備えることを特徴とする。
【０００７】
本発明の請求項２に係る薬剤揮散用容器は、請求項１の構成において、前記係脱片は、容器本体底側が基端とされ、容器本体開放側が自由端とされ、係脱片の弾性変形が、基端を中心とする撓み変形であるととともに、前記延出片は、係脱凸を備え、前記係脱片は、係脱凹を備え、前記係合、離脱が、係脱凸と係脱凹との係合、離脱であることを特徴とする。
【０００８】
本発明の請求項３に係る薬剤揮散用容器は、請求項１又は２の構成において、前記容器本体は、底壁内面の周囲に溝を備えたことを特徴とする。
【０００９】
本発明の請求項４に係る薬剤揮散用容器は、請求項１乃至３のいずれかの構成において、前記延出片、前記係脱片は共に、対向する一対で構成されることを特徴とする。
【００１０】
本発明の請求項５に係る薬剤揮散用容器は、請求項１乃至４のいずれかの構成において、
前記係脱片の自由端と前記容器本体の側壁との間には、係脱片の撓み変形に抵抗する抵抗片を備える構成を特徴とする。
【００１１】
本発明の請求項６に係る薬剤揮散用容器は、請求項１乃至５のいずれかの構成において、前記容器本体は、係脱片と一体に成形され、前記蓋は、延出片と一体に成形され、いずれも合成樹脂製であることを特徴とする。
【００１２】
本発明の請求項７に係る薬剤揮散用容器は、請求項５の構成において、前記容器本体は、係脱片、抵抗片と一体に成形され、前記蓋は、延出片と一体に成形され、いずれも合成樹脂製であることを特徴とする。
【００１３】
上記構成によれば、薬剤が容器本体に収容され、容器本体の開放端がフィルムでシールされて薬剤の揮散が防止され、このような状態で提供がなされた場合、使用に際しては以下の操作が行われる。まずは、延出片を（請求項４によれば、延出片を両側から挟むように掴み）揮散口閉位置から揮散口開制限位置まで移動し、そして、係脱片を容器本体の側壁へ向けて（請求項４によれば、係脱片を両側から挟むように）押圧すると、延出片が係脱片から離脱する（請求項２によれば、延出片の係脱凸が係脱片の係脱凹から離脱する）。延出片を揮散口開制限位置から更に揮散口拡大方向へ移動すれば、蓋を容器本体から取り外すことができる。これにより、フィルムを撤去できる。
【００１４】
その後、係脱片と延出片との係合を再開し、再開後は、延出片と係脱片とが係合した状態が通常とされ、延出片を揮散口開制限位置に置けば、また、延出片について揮散口閉位置と揮散口開制限位置との間の中間の位置に置くとすれば、それに応じた容器本体の開放端と蓋との離間距離、離間距離に応じた揮散口の大きさ、揮散口の大きさに応じた揮散量が得られる。揮散を止めるには、延出片を揮散口閉位置へ移動位置すれば足りる。揮散口閉位置、揮散口開制限位置、またそれらの間の中間位置で節度感（クリック感）を得るべく、延出片と係脱片との間に凸凹係合を施すことも可能である。
【００１５】
揮散の実行、停止、すなわち揮散口の開閉は、蓋側について延出片を移動操作するだけで足りるが、蓋を取り外すには蓋側について延出片を移動操作するのに加え、容器本体側についても係脱片を押圧操作することを要する。両手を要するだけでなく、係脱片の押圧操作の方向が、延出片の移動方向と異なる方向、すなわち直交する方向であり、積極的に蓋を取り外す意識をもって操作することを要する。
【００１６】
蓋を取り外すのは使用開始に当たって必要で、それ以降は揮散口の開閉ができれば足りる。蓋の取り外しは不要であるばかりでなく、不用意な蓋の外れは、揮散量が過度ともなり、無駄である。一方、揮散口の開閉、ないし、揮散口の調整は機会が少なくない。
【００１７】
本発明は、揮散口の開閉操作が容易化される一方、蓋の取り外し操作が困難化されて不要な蓋の外れが避けられる点で、優れる。
【００１８】
請求項５によれば、抵抗片により、係脱片の変形が抵抗され、蓋の取り外し操作の困難化が強化される。
【００１９】
請求項２によれば、延出片が揮散口閉位置にあるときに比し、延出片が揮散口制限位置にあるときは、係脱片の基端部は延出片と容器本体の側壁との間からの露出部分を大きくすることができる。係脱片の延出片からの離脱のための押圧操作について利便性を与えている。蓋の取り外し操作を困難化するにしても、蓋の取り外しを行う必要がある場合に蓋の取り外しを、その意識をもって行うとき、適度な利便性は有効である。
【００２０】
請求項３によれば、薬剤が底壁内面の周囲の溝に入り込んで収容されるので、薬剤が揮散して減るのに伴う薬剤の収縮が均一化される。すなわち、薬剤の表面が、表面周囲を低くする凸状面を呈することなく、平面をそのまま維持でき、表面積に変化が無くて揮散量が一定化される。揮散口が容器本体の開放端と蓋との間に形成されるため、揮散方向が薬剤の表面と平行とされるが、これは、薬剤の表面が薬剤の消費に関わらず平面を維持できることと相俟って、薬剤の収縮の均一化に有効である。
【００２１】
請求項６、７の蓋の側、容器本体の側について一体な成形により合成樹脂で得られることは、係脱片に弾性を持たせ、あるいは、延出片に弾性を持たせる上で、有効である。
【発明の効果】
【００２２】
本発明は、揮散口の開閉操作が容易化される一方、蓋の取り外し操作が困難化されて不要な蓋の外れが避けられる点で、優れる。
【発明を実施するための最良の形態】
【００２３】
本発明の薬剤揮散用容器に係る第一の実施の形態を図１乃至図１１に基づき説明する。図１及び図２に示すように、容器１０は、容器本体１２を備える。容器本体１２は、上方（一方）が開放された有底の矩形箱状である（図７を参照）。容器本体１２の内部には、芳香剤、脱臭剤、防虫剤、脱臭剤、虫よけ剤、消臭剤、殺虫剤等の薬剤１４が収容できる（図３、図４を参照）。ゲル状、また透明ゲル状のものが可能である。
【００２４】
容器本体１２の開放端に対向しては、蓋１６が設けられる。蓋１６は、下方が開放された矩形な浅底の皿状とされている。容器本体１２の開放端は段差形成され、蓋１６と容器本体１２との両側壁の外面が同一面となるように蓋１６の開放端が段差１８に嵌まる。蓋１６の開放端と容器本体１２の開放端との間が薬剤の揮散口８０とされる。蓋１６の開放端が容器本体１２の開放端に当接すると揮散口８０が閉じ（図１の状態）、蓋１６の開放端と容器本体１２の開放端とが離間すると揮散口８０が開く（図２の状態）。
【００２５】
容器本体１２の開放端には、製造時（薬剤揮散器としての製造時）にフィルム２０（図３、図４を参照）が施される。蓋１６は、この開放端がフィルム２０を介して容器本体１２の開放端に当接して容器本体１２に装着される（図４を参照）。フィルム２０により、薬剤１４の揮散開始まで、薬剤１４の揮散が防止される。アルミニウム製等のフィルムが可能である。
【００２６】
蓋１６の開放端からは、一対の対向する板状の延出片２２、２２が垂下されている。延出片２２は、容器本体１２の開放端との対向方向へ容器本体１２の側壁の外面に沿って延出される。
【００２７】
各延出片２２、２２に対応して、容器本体１２の側壁には凹所２４、２４が形成され、凹所２４には延出片２２が納まり、延出片２２は、蓋１６と一体に上下方向（延出方向）に沿って容器本体１２に対して相対移動できる。凹所２４を除く容器本体１２の側壁の外面と、延出片２２の外面とは、同一面とされている。
【００２８】
凹所２４、２４では、延出片２２、２２と容器本体１２の側壁との間に、一対の板状の係脱片２６、２６が設けられている。係脱片２６は、下端が基端とされ、上端が自由端とされ、基端を中心として延出片２２、また、容器本体１２の側壁との対向方向に沿って弾性的に撓み変形できる。
【００２９】
延出片２２の下端部（延出先端部）の内面には左右両側に係脱凸２８、２８が設けられている。係脱凸２８、２８に対応して係脱片２６は、左右両側に係脱凹３０、３０を備える。係脱片２６の上端部がＴ字形とされて凹所２４の左右側部との間に形成される間隙が係脱凹３０となる。通常は係脱凸２８が係脱凹３０内に係合し、延出片２２が揮散口閉位置と、揮散口開制限位置との間で上下方向に相対移動位置制限される。揮散口閉位置とは、蓋１６の開放端が容器本体１２の開放端に当接して揮散口８０が閉じたときの位置（図１を参照）である。揮散口開制限位置とは、蓋１６の開放端が容器本体１２の開放端と離間して揮散口８０が開き、係脱凸２８が係脱凹３０の上端縁に当接して更なる揮散口拡大方向への移動を阻止して蓋１６の開放端と容器本体１２の開放端との間の離間距離が離間距離Ｌに制限された位置（図２を参照）である。
【００３０】
延出片２２の下端部の外面には、複数の突条３２が並設されている。突条３２は、延出片２２の上下移動操作を容易化している。
【００３１】
凹所２４において係脱片２６と容器本体１２の側壁との間には間隙がある。図２、図５に示すように、係脱凸２８が係脱凹３０の上端縁に当接して揮散口開制限位置にあるとき、係脱片２６の基端部が図６に示すように、矢印Ｐの向きに押圧されて係脱片２６が延出片２２と離間する向きに（凹所２４において容器本体１２の側壁に向けて）弾性変形して撓むと、係脱凸２８が係脱凹３０から離脱できる。離脱状態で、延出片２２を上方、すなわち揮散口拡大方向へ移動すると、延出片２２が凹所２４の上方へ抜けて、蓋１６の取り外しが可能となる。フィルム２０を剥がすことができる。
【００３２】
係脱片２６の基端部は、図７に示すように、半円すり鉢状とされ、延出片２２の下端部は、図３に示すように、半円状に切りこまれている。容器本体側方視で、延出片２２が揮散口閉位置にあるとき（図８を参照）に比し、延出片２２が揮散口開制限位置にあるとき（図９を参照）、係脱片２６は、この基端部から先端部に向けて延出片２２の下方に大きく露出される。
【００３３】
係脱片２６の上端には、凹所２４の容器本体１２の側壁との間に肉薄の抵抗片３４が介在している。抵抗片３４は撓み変形して係脱片２６の弾性変形に抵抗を付与することができる（図６を参照）。
【００３４】
係脱凸２８の下面は、傾斜面で形成され、蓋１６を取り外した後に再び装着する際、係脱凸２８の係脱凹３０への係合が容易化されている。
【００３５】
延出片２２の内面左右には、各係脱凸２８、２８の上方に一対の中間位置凸３６、３６が、更に中間凸３６、３６の上方には一対の閉位置凸３８、３８が形成されている。揮散口閉位置では、閉位置凸３８が係脱凹３０の上端縁と係合する位置にある（図１を参照）。図１０に示すように、延出片２２が上昇移動し、弾性変形を伴い、閉位置凸３８が係脱凹３０の上端縁を越え、係脱凹３０の上端縁部４０が閉位置凸３８と中間位置凸３６との間に係合すると、揮散口閉位置と揮散口開制限位置との間に中間位置が得られる。延出片２２が更に上昇移動し、延出片２２が弾性変形して中間位置凸３６が係脱凹３０の上端縁を越え、係脱凹３０の上端縁部４０が中間位置凸３６と係脱凸２８との間に係合することにより、揮散口開制限位置が得られる（図２を参照）。延出片２２の移動操作によって、主に延出片２２の弾性変形に基づき閉位置凸３８、中間位置凸３６は、凸高さを低くする等して係脱凹３０の上端縁を越えることができるが、係脱凸２８は係脱凹３０の上端縁を越えることができないようになっている。
【００３６】
容器本体１２の底壁内面には、溝４２が形成されている。薬剤１４は容器本体１２内への収納に際して溝４２内にも充填される。凹所２４に対応する位置では溝４２が凹所２４により中断されている。
【００３７】
蓋１６の底壁外面は、周囲が高くされて土手部４４をなしている。図１１にも示すように、容器本体１２の下面（底壁外面）は、上げ底とされ、溝４２との境界で、下面から凸壁４６が形成されている。図１２に示すように、凸壁４６が蓋１６の土手部４４の内側に嵌合でき、積み重ねが安定化されている。
【００３８】
容器本体１２の底壁内面には、中央部に、十文字状に保持板４８が立設されている。保持板４８が薬剤１４中に臨んで容器本体１２内の薬剤１４の保持がなされる（図４を参照）。
【００３９】
容器本体１２の素材としては、例えば、透明なポリプロピレン等の合成樹脂が可能である。透明にすれば、容器本体１２の内部が外観でき、薬剤１４の消耗具合が把握できる。蓋１６も容器本体１２と同様の素材が可能である。また、容器本体１２は、係脱片２６と、また、抵抗片３４とも、蓋１６は、延出片２２と一体にそれぞれ成形することができる。凹所２４は上下に貫通（貫通孔８２）し、容器本体１２の側壁が内壁５０と外壁５２との２重壁状とされ、係脱片２６が外壁と連続された態様である。また、蓋１６の土手部４４の上面は、４の辺部において、辺方向に沿って長溝５４が形成されている。凹所２４の２重壁状の構造は、容器本体１２と係脱片２６との一体成形、蓋の土手部４４上の長溝５４は、蓋１６と延出片２２との一体成形をそれぞれ配慮してなされたものである。
【００４０】
次に、上記の実施の形態について作用を説明する。
【００４１】
薬剤１４が容器本体１２に収容され、容器本体１２の開放端がフィルム２０でシールされて薬剤１４の揮散が防止され、このような状態で提供がなされた場合、使用に際しては以下の操作が行われる。まずは、延出片２２を両側から挟むように掴み、揮散口閉位置（図１を参照）から揮散口開制限位置（図２、図５を参照）まで移動し、そして、係脱片２６を両側から挟むように、容器本体１２の側壁へ向けて押圧すると（図６を参照）、延出片２２の係脱凸２８が係脱片２６の係脱凹３０から離脱する。延出片２２を揮散口開制限位置から更に揮散口拡大方向へ移動すれば、蓋を容器本体から取り外すことができる。これにより、フィルム２０を撤去できる。
【００４２】
その後、係脱片２６と延出片２２との係合を再開し、再開後は、延出片２２と係脱片２６とが係合した状態が通常とされ、延出片２２を揮散口開制限位置に置けば、また、延出片２２について揮散口閉位置と揮散口開制限位置との間の中間の位置（揮散口開中間位置）に置くとすれば、それに応じた容器本体１２の開放端と蓋１６との離間距離、離間距離に応じた揮散口８０の大きさ、揮散口８０の大きさに応じた揮散量が得られる。揮散を止めるには、延出片２２を揮散口閉位置へ移動位置すれば足りる。閉位置凸３８、中間位置凸３６によれば、揮散口閉位置、揮散口開制限位置、またそれらの間の揮散口開中間位置で節度感（クリック感）が得られる。
【００４３】
揮散の実行、停止、すなわち揮散口８０の開閉は、蓋１６側について延出片２２を移動操作するだけで足りるが、蓋１６を取り外すには蓋１６側について延出片２２を移動操作するのに加え、容器本体１２側についても係脱片２２を押圧操作することを要する。両手を要するだけでなく、係脱片２６の押圧操作の方向が、延出片２２の移動方向と異なる方向、すなわち直交する方向であり、積極的に蓋１６を取り外す意識をもって操作することを要する。
【００４４】
蓋１６を取り外すのは使用開始に当たって必要で、それ以降は揮散口８０の開閉ができれば足りる。蓋１６の取り外しは不要であるばかりでなく、不用意な蓋１６の外れは、揮散量が過度ともなり、無駄である。一方、揮散口８０の開閉、ないし、揮散口８０の調整は機会が少なくない。
【００４５】
揮散口８０の開閉操作が容易化される一方、蓋１６の取り外し操作が困難化されて不要な蓋１６の外れが避けられる点で、優れる。
【００４６】
抵抗片３４によれば、係脱片２６の変形が抵抗され、蓋１６の取り外し操作の困難化が強化される。
【００４７】
延出片２２が揮散口閉位置にあるときに比し、延出片２２が揮散口制限位置にあるときは、係脱片２６の基端部は延出片２２と容器本体１２の側壁との間からの露出部分を大きくすることができる。係脱片２６の延出片２２からの離脱のための押圧操作について利便性を与えている。蓋１６の取り外し操作を困難化するにしても、蓋１６の取り外しを行う必要がある場合に蓋の取り外しを、その意識をもって行うとき、適度な利便性は有効である。
【００４８】
薬剤１４が底壁内面の周囲の溝４２に入り込んで収容されるので、薬剤１４が揮散して減るのに伴う薬剤１４の収縮が均一化される。すなわち、薬剤１４の表面（大気に触れる面）が、表面周囲を低くする凸状面を呈することなく、平面をそのまま維持でき、表面積に変化が無くて揮散量が一定化される。揮散口８０が容器本体１２の開放端と蓋１６の開放端との間に形成されるため、揮散方向が薬剤１４の表面と平行とされるが、これは、薬剤１４の表面が薬剤１４の消費に関わらず平面を維持できることと相俟って、薬剤１４の収縮の均一化に有効である。
【００４９】
蓋１６の側、容器本体１２の側について一体な成形により合成樹脂で得られることは、係脱片２６に弾性を持たせ、あるいは、延出片２２に弾性を持たせる上で、有効である。
【００５０】
本発明は、上記の実施の形態に限るものではなく、種々の形態が可能である。例えば、係脱片、延出片について、図１３に示す薬剤揮散用容器２０２にあるように、容器本体２０４側の係脱片２０６の係脱凹２０８が係脱片２０６の左右方向中央部において上下に長い単一の長孔で形成され、一方、蓋２１０側の延出片２１２の係脱凸、中間位置凸、閉位置凸が、上記の実施の形態に係る係脱凸、中間位置凸、閉位置凸と同様ではあるが、ただ、それぞれ単一で形成されるものが可能である。
【００５１】
また、上記実施の形態では、容器本体が矩形の箱状であるが、それに限らず、３角形、５角形等の多角形状、円形状、楕円形状の箱状のもの等、種々のものが可能である。
【００５２】
更に、延出片、係脱片も、一対に限るものではない。また、本実施の形態では、係脱凸が延出片側に、係脱凹が係脱片側にそれぞれ形成されているが、逆に、係脱凸が係脱片側に、係脱凹が延出片側にそれぞれ形成することも可能である。
【図面の簡単な説明】
【００５３】
【図１】図１は、本発明の薬剤揮散用容器の一の実施の形態を、揮散口閉位置について示す一部切り欠き斜視図である。
【図２】図２は、本実施の形態を、揮散口開制限位置について示す一部切り欠き斜視図である。
【図３】図３は、本実施の形態を示す斜視図である。
【図４】図４は、本実施の形態を示す縦断面図である。
【図５】図５は、本実施の形態を、揮散口開制限位置について、係脱片と延出片との係合状態を示す縦断面図である。
【図６】図６は、本実施の形態の係脱片と延出片との離脱状態を示す図５に対応する図である。
【図７】図７は、本実施の形態の容器本体を示す斜視図である。
【図８】図８は、本実施の形態の側方視の図である。
【図９】図９は、本実施の形態の揮散口開制限位置における図８に対応する図である。
【図１０】図１０は、本実施の形態を、揮散口開中間位置について示す一部切り欠き斜視図である。
【図１１】図１１は、本実施の形態を、見上げて示す斜視図である。
【図１２】図１２は、本実施の形態について、積み重ね状態を示す縦断面図である。
【図１３】図１３は、他の実施の形態を示す斜視図である。
【符号の説明】
【００５４】
薬剤揮散用容器  １０、２０２
容器本体  １２、２０４
薬剤  １４
蓋  １６、２１０
延出片  ２２、２１２
係脱片  ２６、２０６
係脱凸  ２８、２０８
係脱凹  ３０
抵抗片  ３４
溝  ４２
揮散口  ８０
【図１】
2005153946.tif 000003
【図２】
2005153946.tif 000004
【図３】
2005153946.tif 000005
【図４】
2005153946.tif 000006
【図５】
2005153946.tif 000007
【図６】
2005153946.tif 000008
【図７】
2005153946.tif 000009
【図８】
2005153946.tif 000010
【図９】
2005153946.tif 000011
【図１０】
2005153946.tif 000012
【図１１】
2005153946.tif 000013
【図１２】
2005153946.tif 000014
【図１３】
2005153946.tif 000015